(57)【要約】【課題】草木等の刈払い機先端への巻き付きを防止し、作業者への負担の軽減を図り、刈払い作業を能率的に行うことが可能な刈払い用回転刃を提供する。【解決手段】円板状の台金の外周縁に刃先が形成されると共に、台金の中心部分に、刈払い機の取付フランジに取り付け可能な取付孔を有する取付面が形成された刈払い用回転刃であって、取付面の取付孔の外周側に、平面視略円形の側壁と、中心部分に取付フランジの外径より大きな内径の開口を有する底壁とを備えた巻付き防止カップを、固着手段により刈払い機側に突出する状態で一体的に固着したことを特徴とする。前記側壁の高さ寸法が刈払い機の回転伝達シャフトに接触しない寸法に設定され、前記側壁の底壁側にカップ内の水や切り屑等を遠心力により外部に排出する排出孔や軽量孔が形成される。【選択図】図１
2011244799.tif 000002
【特許請求の範囲】
【請求項１】
円板状の台金の外周縁に刃先が形成されると共に、台金の中心部分に、刈払い機の取付フランジに取り付け可能な取付孔を有する取付面が形成された刈払い用回転刃であって、
前記取付面の取付孔の外周側に、平面視略円形の所定高さの側壁と、中心部分に前記取付フランジの外径より大きな内径の開口を有する底壁とを備えた巻付き防止カップを、固着手段により前記刈払い機側に突出する状態で一体的に固着したことを特徴とする刈払い用回転刃。
【請求項２】
前記側壁の高さ寸法が前記刈払い機の回転伝達シャフトに接触しない寸法に設定され、該側壁の底壁側に前記巻付け防止カップ内や水や切り屑等を遠心力により外部に排出可能に排出孔が形成されていることを特徴とする請求項１に記載の刈払い用回転刃。
【請求項３】
前記側壁に軽量孔が形成されると共に、その上端縁にアール形状の返し部が形成されていることを特徴とする請求項１または２に記載の刈払い用回転刃。
【請求項４】
前記取付面が刃先面と段差を有する如く形成されることにより、取付面の裏面側に凹部が形成され、該凹部内に前記固着手段が位置することを特徴とする請求項１ないし３のいずれかに記載の刈払い用回転刃。
【請求項５】
前記取付面が刃先面と平板状に形成されると共に、当該取付面と巻き付け防止カップの底壁とに該カップの内側方向に突出し互いに嵌合可能な凹部がそれぞれ形成され、該凹部内に前記固着手段が位置することを特徴とする請求項１ないし３のいずれかに記載の刈払い用回転刃。
【発明の詳細な説明】
【技術分野】
【０００１】  本発明は、刈払い機に装着されて草や蔓、木等（草木等という）を刈払いする際に使用される刈払い用回転刃に関する。
【背景技術】
【０００２】  従来、チップソー等の刈払い用の回転刃としては、例えば図８に示すものが知られている。この回転刃１０１は、円板状の台金１０２の中心部分の平坦な取付面１０２ａに刈払い機１０４への取付孔１０３が形成されると共に、取付面１０２ａの外側周囲に、下方に膨らんだ円環状の膨出部１０２ｂが形成されている。また、台金１０２の膨出部１０２ｂの外側には、刃先面１０２ｃが前記取付面１０２ａ方向に向けて反った状態で形成されている。【０００３】  そして、台金１０２の刃先部１０２ｃ先端のチップ固着部には、掬い面と先端面を有するチップがそれぞれロー付けされ、この回転刃１０１が、その取付孔１０３を利用して取付ボルト１０５により刈払い機１０４の鋸受けフランジ１０４ａに取り付けられている。なお、この種の回転刃としては、例えば特許文献１に開示されている。
【先行技術文献】
【特許文献】
【０００４】
【特許文献１】実開平０６−２４４２９号公報
【発明の概要】
【発明が解決しようとする課題】
【０００５】  しかしながら、このような回転刃１０１にあっては、刃先（チップ）で刈り取った草木等が刈払い機１０４の鋸受けフランジ１０４ａ部分に巻き付いて、刈払い機１０４の回転数を低下させる場合があり、このような巻き付きを防止するために、作業者は予め刈払い機１０４の回転数を必要以上に高めた状態で作業を行っている。また、蔓等が巻き付いてしまった場合は、刈払い機１０４の回転数を高めることで巻き付いた蔓等を取り除いたり、回転数を高めても取り除けない場合は、刈払い作業を一端中断して手によって取り除いており、刈払い作業時に、作業者への負担が大きくなり易く、刈払い作業を能率的に行うことが難しい。【０００６】  本発明は、このような事情に鑑みてなされたもので、その目的は、草木等の刈払い機先端への巻き付きを防止し、作業者への負担の軽減を図り刈払い作業を能率的に行うことができると共に、各種刈払い機に簡単に装着できて汎用性に優れた刈払い用回転刃を提供することにある。
【課題を解決するための手段】
【０００７】  かかる目的を達成すべく、本発明のうち請求項１に記載の発明は、円板状の台金の外周縁に刃先が形成されると共に、台金の中心部分に、刈払い機の取付フランジに取り付け可能な取付孔を有する取付面が形成された刈払い用回転刃であって、前記取付面の取付孔の外周側に、平面視略円形の側壁と中心部分に前記取付フランジの外径より大きな内径の開口を有する底壁とを備えた巻付き防止カップを、固着手段により前記刈払い機側に突出する状態で一体的に固着したことを特徴とする。【０００８】  また、請求項２に記載の発明は、前記側壁の高さ寸法が前記刈払い機の回転伝達シャフトに接触しない寸法に設定され、該側壁の底壁側に巻付き防止カップ内の水や切り屑等を遠心力により外部に排出可能な排出孔が形成されていることを特徴とする。さらに、請求項３に記載の発明は、前記側壁に軽量孔が形成されると共に、その上端縁にアール形状の返し部が形成されていることを特徴とする。また、請求項４に記載の発明は、前記取付面が刃先面と段差を有する如く形成されることにより、取付面の裏面側に凹部が形成され、該凹部内に前記固着手段が位置することを特徴とする。また、請求項５に記載の発明は、前記取付面が刃先面と平板状に形成されると共に、当該取付面と巻き付け防止カップの底壁とに該カップの内側方向に突出し互いに嵌合可能な凹部がそれぞれ形成され、該凹部内に前記固着手段が位置することを特徴とする。
【発明の効果】
【０００９】  本発明のうち請求項１に記載の発明によれば、台金の取付面の取付孔の外周側に、側壁と開口を有する底壁とを備えた巻付き防止カップが、固着手段により一体的に固着されているため、巻付き防止カップで刈払いされた草木等の刈払い機先端への巻き付きを防止することができて、作業者への負担の軽減を図り刈払い作業を能率的に行うことができる。また、台金に巻付け防止カップが予め一体的に固着されているため、回転刃を従来と同様に各種刈払い機に装着できて、その汎用性を向上させることができる。【００１０】  また、請求項２に記載の発明によれば、請求項１に記載の発明の効果に加え、側壁の高さ寸法が刈払い機の回転伝達シャフトに接触しない寸法に設定され、該側壁の底壁側に排出孔が形成されているため、巻付け防止カップを備えた回転刃を刈払い機にその回転に悪影響を与えることなく取り付けできると共に、カップ内の水や切り屑等を回転刃の回転時の遠心力により排出孔から外部に排出できる等、回転刃にスムーズな回転を得ることができる。【００１１】  さらに、請求項３に記載の発明によれば、請求項１または２に記載の発明の効果に加え、側壁に軽量孔が形成されると共に、その上端縁にアール形状の返し部が形成されているため、軽量孔により巻付き防止カップを軽量化して刈払い作業の能率向上が図れると共に、返し部により巻付き防止カップの剛性を高めることができて、刈払い機の運搬時の該カップの変形等を防止できると共に、巻付き防止カップの安全性を高めることができる。【００１２】  また、請求項４に記載の発明によれば、請求項１ないし３に記載の発明の効果に加え、段差により取付面の裏面側（反刈払い機側）に凹部が形成され、該凹部内に固着手段が位置しているため、リベットやスポット溶接等の固着手段を凹部内に位置させることができて、固着手段の摩耗や変形を防いで、巻付き防止カップを取付面に長期に亘り安定した状態で一体化（固着）することができる。【００１３】  また、請求項５に記載の発明によれば、請求項１ないし３に記載の発明の効果に加え、取付面と巻き付け防止カップの底壁とに該カップの内側方向に突出した凹部がそれぞれ形成され、該凹部内に固着手段が位置するため、平板状の台金であっても、リベットやスポット溶接等の固着手段を凹部内に位置させることができて、固着手段の摩耗や変形を防いで、巻付き防止カップを取付面に長期に亘り安定した状態で一体化（固着）することができる。
【図面の簡単な説明】
【００１４】
【図１】  本発明に係わる刈払い用回転刃の一実施形態を示す平面図
【図２】  同そのＡ−Ａ線に沿った矢視図
【図３】  同巻付き防止カップの側壁の拡大図
【図４】  同そのＢ−Ｂ線に沿った矢視図
【図５】  同刈払い機への取付状態を示す図
【図６】  本発明に係わる刈払い用回転刃の他の実施形態の刈払い機への取付状態を示す図
【図７】  本発明に係わる刈払い用回転刃の巻付き防止カップの変形例を示す図
【図８】  従来の刈払い用回転刃の刈払い機への取付状態を示す図
【発明を実施するための形態】
【００１５】  以下、本発明を実施するための形態を図面に基づいて詳細に説明する。
図１〜図５は、本発明に係わる刈払い用回転刃の一実施形態を示している。図１及び図２に示すように、刈払い用回転刃１（回転刃１という）は、円板状で多数の軽量孔３ａ、３ｂが形成された台金２を有し、この台金２の中心位置には、後述する刈払い機５への取付孔４が形成されている。
【００１６】  また、台金２は、取付孔４の外側に所定幅の平坦な取付面２ａが形成され、この取付面２ａの外側に反刈払い機５側に向けて高さ寸法ｈ１突出した段差部２ｂが形成されると共に、この段差部２ｂの外側に平坦な刃先面２ｃが形成されている。この刃先面２ｃの先端である台金２の外周縁には、チップ固着部１１と刃室１０が一定間隔で多数形成され、各チップ固着部１１には、刃先としての超硬合金からなるチップ７がそれぞれロー付けされている。なお、チップ７は、掬い面と先端面及び複数の固着面を有し、各固着面が台金２のチップ固着部１１にロー付けされるようになっている。
【００１７】  また、台金２には、前記段差部２ｂによりその内側に裏面視円形の空間状の凹部６が形成されると共に、取付面２ａと刃先面２ｃとが平行に形成されることにより、前記チップ７の指向方向（外側への突出方向）と取付面２ａが平行（同一方向の平面）となるように設定されている。
【００１８】  そして、前記台金２の取付面２ａには、巻付き防止カップ１２が一体的に固着されている。この巻付き防止カップ１２は、例えば板厚１．２ｍｍ程度の鋼板やアルミウム板の折り曲げ加工、あるいは各種樹脂の成形により、直径φ１が前記取付面２ａの外径と略同一の略カップ形状に形成され、所定の高さ寸法ｈ２を有する平面視円形の垂直な側壁１２ａと、この側壁１２ａの下端に連接された底壁１２ｂとを有している。この巻付き防止カップの底壁１２ｂの中心位置には、円形の開口１２ｃが形成されている。この開口１２ｃは、その内径が後述する刈払い機５の取付フランジである鋸受けフランジ５ａの外径と図５に示すように略等しいか、あるいは大きく設定されている。
【００１９】  また、側壁１２ａには、図３及び図４に示すように、円形の軽量孔１４が例えば上下二段で千鳥状に円周方向に一定間隔で複数個形成されると共に、側壁１２ａの下端には底壁１２ｂに接する状態で排出孔１５が円周方向に所定間隔で複数個形成されている。なお、軽量孔１４や排出孔１５の大きさ（直径）は、刈払いした草木等が進入して巻付き防止カップ１２自体に巻付かない所定の大きさで、排出孔１５の場合は、内部の切り屑や土埃等が遠心力により外部に排出可能な例えば６ｍｍの内径に設定されている。
【００２０】  さらに、巻付き防止カップ１２の側壁１２ａの上端には、該側壁１２ａを内側に折曲げることで外周面がアール形状に形成された返し部１６が一体形成されている。なお、巻付き防止カップ１２の大きさは、その外径（直径φ）が例えば１３４ｍｍ程度で、高さ寸法ｈ２が例えば２７ｍｍ程度に設定されるが、これらの寸法は台金２の外径や刈払い機５の形態等に応じてできるだけ大きい方が好ましい。
【００２１】  そして、この巻付き防止カップ１２は、図１及び図２に示すように、底壁１２ｂと台金２の取付面２ａに形成されたリベット孔を利用して、固着手段としてのリベット１３により一体的に固着されている。このとき、リベット１３は、円周方向に一定間隔で例えば６〜８個（図１では８個）設けられており、巻付き防止カップ１２を台金２に固着した状態において、リベット１３の台金２側の頭部が、図２に示すように、台金２の凹部６内に位置しリベット１３の頭部が台金２の裏面側に突出しないようになっている。この巻付き防止カップ１２により、後述する如くチップ７で刈払いされた草木等の刈払い機５先端への巻付きが防止される。
【００２２】  このように構成された回転刃１は、図５に示すように、刈払い機５の回転伝達シャフト５ａ先端の取付フランジとしての鋸受けフランジ５ｂに、鋸割止カバー５ｃ、鋸押えフランジ５ｄ及び取付ボルト９を介して取り付けられる。この取付時に、回転刃１の取付面２ａを刈払い機５の鋸受けフランジ５ｂの面に当接させることにより、回転刃１の凹部６内に取付ボルト９が位置した状態となり、その際、段差部２ｂの高さ寸法ｈ１により、取付ボルト９の頭部が凹部６内に位置して外側（図５において下方）に突出しないようになっている。
【００２３】  また、取付状態において、巻付き防止カップ１２の底壁１２ｂは、該底壁１２ｂの開口１２ｃの前述した大きさ設定により、開口１２ｃ内に刈払い機５の鋸受けフランジ５ｂが位置し、底壁１２ｂと鋸受けフランジ５ｂが干渉しない状態となっており、回転刃１が刈払い機５に何等悪影響を受けることなく取り付けられている。また、巻付き防止カップ１２の側壁１２ａの高さ寸法ｈ２を、例えば使用する刈払い機５の形態等に応じて所定に設定することにより、側壁１２ａの上端と刈払い機５の回転伝達シャフト５ａの外周面間に、所定の隙間寸法ｈ３（例えば５〜１５ｍｍ）が確保されるようになっている。なお、回転刃１の取付面２ａの幅は、刈払い機５の鋸受けフランジ５ｂの外径より所定寸法大きく設定されており、取付面２ａが鋸受けフランジ５ｂのフランジ面の全域に密着した状態となっている。
【００２４】  そして、回転刃１の刈払い機５への取付状態で、刈払い機５を作動させると、回転刃１が所定回転数で回転し、その刃先面２ｃ先端のチップ７が草木等に略直角に入る状態となって、草木等がスムーズに切断される、また同時に、切断された草木等は、巻付き防止カップ１２の側壁１２ａの外周面に接触して跳ね返される状態となり、切断した草木等が刈払い機５の先端である鋸受けフランジ５ｂ部分等に巻き付くことが防止される。また、巻付き防止カップ１２内に貯まった草木の切り屑や土埃、あるいは草木の水滴や雨等の水は、該カップ１２に設けた排出孔１５により、図４の矢印イの如くカップ１２外に排出され、その際、回転刃１の回転による遠心力でカップ１２内の切り屑等が所定内径の排出孔１５から外部に確実に排出されることになる。
【００２５】  つまり、台金２の取付面２ａに、刈払い機５側に突出した状態で、巻付き防止カップ１２をリベット１３で一体的に固着することにより、該カップ１２の側壁１２ａで刈払い機５の鋸受けフランジ５ｂの外周側の全域を所定距離Ｌ（図５参照）隔てて覆うことができ、チップ７で切断された草木等の鋸受けフランジ５ｂへの接触自体を防止して、草木等の刈り払い機５等への巻き付けを防ぐことができる。
【００２６】  このように、前記回転刃１によれば、台金２の取付面２ａの取付孔４の外周側に、側壁１２ａと中心部分に開口１２ｃを有する底壁１２ｂとを備えた巻付き防止カップ１２が、複数個のリベット１３により一体的に固着されているため、巻付き防止カップ１２で刈払いされた草木等の刈払い機５先端への巻き付きを防止することができて、刈払い作業時の作業者への負担の軽減を図り刈払い作業を能率的に行うことができる。また、台金２に巻付け防止カップ１２が予め一体的に固着されて回転刃１が形成されているため、回転刃１を従来と同様の作業（手順）により各種形態の刈払い機５に装着したり交換することができる等、回転刃１の汎用性を向上させることができる。
【００２７】  また、巻付き防止カップ１２の側壁１２ａの高さ寸法ｈ２が、刈払い機５の回転伝達シャフト５ａに接触しない寸法に設定されているため、巻付け防止カップ１２を備えた回転刃１を刈払い機５にその回転に悪影響を与えることなく取り付けできると共に、巻付き防止カップ１２の側壁１２ａの底壁１２ｂ側に排出孔１５が形成されているため、該カップ１２内の切り屑や水等を遠心力により排出孔１５から外部に排出することができ、回転刃１にスムーズな回転を容易に得ることができて、例えば雨の日の刈払い作業であっても、その作業を能率良く行うことができる。
【００２８】  さらに、巻付き防止カップ１２の側壁１２ａに軽量孔１４が形成されているため、該カップ１２自体を軽量化できて、回転刃１の重量増加を極力抑えて、刈払い作業の作業性を向上させることができる。また、巻付き防止カップ１２の側壁１２ａの上端縁に、アール形状の返し部１６が形成されているため、返し部１６により側壁１２ａの剛性を高めて、例えば刈払い機５を移動する際の巻付き防止カップ１２の変形等を防止できると共に、作業者が巻付き防止カップ１２に触った場合等の安全性を高めることができる。
【００２９】  また、台金２の取付面２ａの反刈払い機５側である裏面側に段差部２ｂによる凹部６が形成され、この凹部６内にリベット１３が位置しているため、リベット１３の台金２側の頭部を凹部６内に確実に位置させることができて、リベット１３の頭部の摩耗や変形等を防いで、巻付き防止カップ１２を取付面２ａに長期に亘り安定した状態で一体化（固着）することができて、安全な刈払い作業を行うことができる。
【００３０】  また、前記回転刃１の場合、次のような付随的な作用効果を得ることができる。すなわち、台金２が取付面２ａと段差部２ｂ及び刃先面２ｃとを備え、取付面２ａを刈払い機５に取付ボルト９で取り付けた際に、取付ボルト９の頭部が円形の凹部６内に位置するため、凹部６で取付ボルト９を保護して頭部の摩耗や変形等を防止することができ、回転刃１の刈払い機５に対する取り付けや取り外し時に、取付ボルト９を良好に回転操作できて、回転刃１の交換作業をスムーズに行うことができる。
【００３１】  また、切断性能に影響する刃先面２ｃが取付面２ａと平行に形成されているため、刃先としてのチップ７と取付面２ａ（刈払い機５への取付面）とが角度をもって、チップ７が草木等に斜めに入ることを防止でき、チップ７を草木等に略直角に入れることができて、回転刃１に良好な切れ味を容易に得ることができる。
【００３２】  ところで、前記実施形態においては、台金２の取付面２ａと刃先面２ｃとが段差部２ｂにより所定の段差を有するように形成したが、本発明はこの構成に限定されず、例えば図６に示すように、前記段差部２ｂをなくして取付面２ａと刃先面２ｃとを平板状とした台金２にも適用することができる。すなわち、この回転刃１は、平板状の台金２が、取付孔４が形成された取付面２ａと外周縁にチップ７が固着された刃先面２ｃを有し、取付面２ａに軽量孔１４や排出孔１５等を有する巻付き防止カップ１２がリベット１３により一体的に固着されている。
【００３３】  このとき、台金２の取付面２ａには、刈払い機５側に突出した凹部１８が形成され、巻付き防止カップ１２の底壁１２ｂには、カップ１２内側方向に突出した凹部１９が形成されている。この両凹部１８、１９は、重ねた際に、凹部１９内に凹部１８が嵌合するようになっており、この両凹部１８、１９においてリベット１３により巻付き防止カップ１２と台金２が一体的に固着されている。なお、凹部１８、１９は、取付孔４と同心円状の円環形状としても良いし、同心円状に位置する平面視円形の複数個の凹部としても良い。この凹部１８、１９により、リベット１３の台金２側の頭部が、台金２の凹部１９内に位置して、台金２の裏面側へ突出しないように設定されている。
【００３４】  この回転刃１は、刈払い機５の鋸受けフランジ５ｂに、ボルト保護カバー１７を介して取付ボルト９により取り付けられ、ボルト保護カバー１７の外周外側に前記凹部１８、１９が位置するようになっている。この実施形態の回転刃１においても、巻付け防止カップ１２により、刈払いされた草木等の刈払い機５先端への巻付きを防止できる等、前記実施形態と同様の作用効果を得ることができる。
【００３５】  また、リベット１３の頭部を台金２の凹部１９内に位置させることができて、リベット１３の頭部の摩耗や変形等を防いで、巻付き防止カップ１２を、平板状の台金２の取付面２ａに長期に亘り安定した状態で一体化できる等の作用効果を奏することができる。また、互いに嵌合可能な凹部１８、１９により、台金２と巻付き防止カップ１２の位置決めが確実に行えると共に、固着強度を高めることができる。この実施形態の場合、図６の二点鎖線で示すように、ボルト保護カバー１７の外径を大きくして、リベット１３部分を覆うようにし、台金２や巻付き防止カップ１２の前記凹部１８、１９を省略して、台金２を略完全な平板状とすることもできる。
【００３６】  なお、前記各実施形態においては、巻付き防止カップ１２が、高さ寸法ｈ２の垂直な側壁１２ａを有する構成としたが、例えば図７（ａ）に示すように、側壁１２ａを傾斜面１２ａ２と垂直面１２ａ１で形成したり、図７（ｂ）に示すように、側壁１２ａを傾斜面で形成したり、あるいは図７（ｃ）に示すように、側壁１２ａを曲面で形成する等、刈払い機５先端の全域を所定距離Ｌ隔てて覆うことが可能な適宜形状を採用することができる。
【００３７】  また、前記各実施形態においては、固着手段としてリベット１３を使用したが、例えばスポット溶接等の溶接を使用したり、台金２に巻付き防止カップ１２を一体成形したり、あるいは台金２と巻付き防止カップ１２をボルトにより着脱可能に固着する等、確実な固着状態が得られる適宜の手段を採用することができる。さらに、前記各実施形態における、チップ７の数や形状、台金２の取付面２ａの幅や段差部２ｂの高さ寸法ｈ１、軽量孔３ａ、３ｂ、１４や排出孔１５の大きさや位置等も一例であって、本発明の各発明に係わる要旨を逸脱しない範囲において適宜の構成を採用することができる。
【産業上の利用可能性】
【００３８】  本発明は、円板状の台金の外周縁にチップが固着された回転刃（チップソー）に限らず、刃先が台金に一体成形された回転刃等、草木等の刈払いに使用される全ての回転刃に利用できる。
【符号の説明】
【００３９】  １・・・回転刃、２・・・台金、２ａ・・・取付面、２ｂ・・・段差部、２ｃ・・・刃先面、４・・・取付孔、５・・・刈払い機、５ａ・・・回転伝達シャフト、５ｂ・・・鋸受けフランジ、５ｄ・・・鋸押えフランジ、６・・・凹部、７・・・チップ、９・・・取付ボルト、１２・・・巻付き防止カップ、１２ａ・・・側壁、１２ｂ・・・底壁、１２ｃ・・・開口、１３・・・リベット、１４・・・軽量孔、１５・・・排出孔、１６・・・返し部、１７・・・ボルト保護カバー、１８、１９・・・凹部。
【図１】
2011244799.tif 000003
【図２】
2011244799.tif 000004
【図３】
2011244799.tif 000005
【図４】
2011244799.tif 000006
【図５】
2011244799.tif 000007
【図６】
2011244799.tif 000008
【図７】
2011244799.tif 000009
【図８】
2011244799.tif 000010